(57)【要約】【課題】より低電圧で始動可能であり、且つモリブデン箔の温度が低く長寿命な反射鏡付放電ランプを提供することを目的とする。【解決手段】この発明に係る反射鏡付放電ランプは、石英バルブ１ａと、Ｆ電極１２及びＲ電極１３と、Ｆリード線１７及びＲリード線１８と、発光部１１とは別の空間を形成し、水銀と希ガスとが封入される空間部とを含む発光管１と、空間部が形成された一方の封止部の外周面に設けられるトリガーワイヤとを備えた反射鏡付放電ランプにおいて、トリガーワイヤが設けられるＦ封止部とは反対側の他方のＲ封止部に、金属箔を覆うように所定の形状のワイヤ３０を設けることを特徴とする。【選択図】図４
2009289567.tif 000002
【特許請求の範囲】
【請求項１】
水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤが設けられる前記一方の封止部とは反対側の前記他方の封止部に、前記金属箔を覆うように所定の形状のワイヤを設けることを特徴とする反射鏡付放電ランプ。
【請求項２】
前記トリガーワイヤは、前記一方の封止部に埋設される金属箔の略全体を覆うように設けられることを特徴とする請求項１記載の反射鏡付放電ランプ。
【請求項３】
前記トリガーワイヤは、前記空間部と、前記一方の封止部に埋設される金属箔の前記一端側の略半分とを覆うように設けられることを特徴とする請求項１記載の反射鏡付放電ランプ。
【請求項４】
前記ワイヤは、前記他方の封止部に埋設される金属箔の略全体を覆うように設けられることを特徴とする請求項１乃至３のいずれかに記載の反射鏡付放電ランプ。
【請求項５】
前記ワイヤは、前記他方の封止部に埋設される金属箔の前記一端側の略半分を覆うように設けられることを特徴とする請求項１乃至３のいずれかに記載の反射鏡付放電ランプ。
【請求項６】
水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤは、前記一方の封止部に埋設される金属箔の略全体を覆うように設けられることを特徴とする反射鏡付放電ランプ。
【請求項７】
水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤは、前記空間部と、前記一方の封止部に埋設される金属箔の前記一端側の略半分とを覆うように設けられることを特徴とする反射鏡付放電ランプ。
【発明の詳細な説明】
【技術分野】
【０００１】
この発明は、プロジェクター等の投影機器に使用される反射鏡付放電ランプに関する。
【背景技術】
【０００２】
例えばプロジェクタの光源装置として、ショートアーク型放電ランプと凹面反射鏡を組み合わせたものが使用される。プロジェクタは演色性のよい光源が要求されるので、ショートアーク型放電ランプとしては、最近では、メタルハライドランプに代って、極めて高い水銀蒸気圧を持った超高圧水銀ランプが使用されることが多い。これは水銀蒸気圧をより高くすることで、アークの広がりを抑えるとともに、より一層の演色性および光出力の向上を図ったものである。
【特許文献１】特開２００５−０３２５２１号公報
【特許文献２】特開２００４−３３５４５７号公報
【特許文献３】特開２００５−１１６４５０号公報
【特許文献４】特表２００５−５２２８２５号公報
【発明の開示】
【発明が解決しようとする課題】
【０００３】
現状、超高圧水銀ランプはホームユース用に用いられる際、万一の破裂、破損に備えて密閉タイプを用いる場合が多い。しかしながら、密閉タイプの場合は冷却ファンによる温度調節が非常に難しい。特に照度アップを目的として高出力タイプを用いる場合は更なるランプ側もしくはレフレクタ（反射鏡）側での対策が必要とされる。
【０００４】
この発明は、上記のような課題を解決するためになされたもので、より低電圧で始動可能であり、且つモリブデン箔の温度が低く長寿命な反射鏡付放電ランプを提供することを目的とする。
【課題を解決するための手段】
【０００５】
この発明に係る反射鏡付放電ランプは、水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤが設けられる前記一方の封止部とは反対側の前記他方の封止部に、前記金属箔を覆うように所定の形状のワイヤを設けることを特徴とする。
【０００６】
前記トリガーワイヤは、前記一方の封止部に埋設される金属箔の略全体を覆うように設けられることを特徴とする。
【０００７】
前記トリガーワイヤは、前記空間部と、前記一方の封止部に埋設される金属箔の前記一端側の略半分とを覆うように設けられることを特徴とする。
【０００８】
前記ワイヤは、前記他方の封止部に埋設される金属箔の略全体を覆うように設けられることを特徴とする。
【０００９】
前記ワイヤは、前記他方の封止部に埋設される金属箔の前記一端側の略半分を覆うように設けられることを特徴とする。
【００１０】
この発明に係る反射鏡付放電ランプは、水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤは、前記一方の封止部に埋設される金属箔の略全体を覆うように設けられることを特徴とする反射鏡付放電ランプ。
【００１１】
この発明に係る反射鏡付放電ランプは、水銀と希ガスとが封入される発光部と前記発光部の両側に設けられる封止部とを有する石英バルブと、前記封止部に埋設される金属箔の一端に接続され、前記発光部内で対向する一対の電極と、前記金属箔の他端に接続され、前記封止部から外部に引き出される一対のリード線と、前記一方の封止部に設けられ、前記発光部とは別の空間を形成し、水銀と希ガスとが封入される空間部とを含む発光管と、前記空間部が形成された前記一方の封止部の外周面に設けられるトリガーワイヤとを備えた反射鏡付放電ランプにおいて、
前記トリガーワイヤは、前記空間部と、前記一方の封止部に埋設される金属箔の前記一端側の略半分とを覆うように設けられることを特徴とする反射鏡付放電ランプ。
【発明の効果】
【００１２】
この発明に係る反射鏡付放電ランプは、トリガーワイヤに加えてトリガーワイヤが設けられる一方の封止部とは反対側の他方の封止部に、金属箔を覆うように所定の形状のワイヤを設けることにより、金属箔の温度を下げることができ長寿命な反射鏡付放電ランプが得られる。
【００１３】
トリガーワイヤは、一方の封止部に埋設される金属箔の略全体を覆うように設けられることにより、さらに金属箔の温度を下げることができ長寿命な反射鏡付放電ランプが得られる。
【００１４】
トリガーワイヤは、空間部と、一方の封止部に埋設される金属箔の一端側の略半分とを覆うように設けられることにより、効果的に金属箔の温度を下げることができ長寿命な反射鏡付放電ランプが得られる。
【００１５】
ワイヤは、他方の封止部に埋設される金属箔の略全体を覆うように設けられることにより、さらに金属箔の温度を下げることができ長寿命な反射鏡付放電ランプが得られる。
【００１６】
ワイヤは、他方の封止部に埋設される金属箔の一端側の略半分を覆うように設けられることにより、効果的に金属箔の温度を下げることができ長寿命な反射鏡付放電ランプが得られる。
【００１７】
トリガーワイヤは、一方の封止部に埋設される金属箔の略全体を覆うように設けられることにより、金属箔の温度を下げることができ長寿命な反射鏡付放電ランプが得られる。
【００１８】
トリガーワイヤは、空間部と、一方の封止部に埋設される金属箔の一端側の略半分とを覆うように設けられることにより、効果的に金属箔の温度を下げることができ長寿命な反射鏡付放電ランプが得られる。
【発明を実施するための最良の形態】
【００１９】
実施の形態１．
図１乃至図３は比較のために示す一般的な反射鏡付放電ランプ１００を示す図で、図１は反射鏡付放電ランプ１００の構成図、図２は一部を破断して断面で示す反射鏡付放電ランプ１００の構成図、図３は低電圧での始動を可能とするメカニズムを説明する図である。
【００２０】
図１、図２により、一般的な反射鏡付放電ランプ１００の構成を説明する。反射鏡付放電ランプ１００は、発光管１と、この発光管１を保持するセラミックリング２と、セラミックリング２が固定される楕円反射鏡３と、セラミックリング２の後面に固定されるキャップ５とを備える。セラミックリング２は、発光管１のＲモリブデン箔付近（Ｒ封止部２９）を保持する。反射鏡は、楕円反射鏡３以外に放物型反射鏡も用いられる。
【００２１】
発光管１は、石英ガラスからなる石英バルブ１ａ内に、Ｆリード線１７が溶接されたＦモリブデン箔１５を溶接したＦ電極１２と、Ｒリード線１８が溶接されたＲモリブデン箔１６を溶接したＲ電極１３とを備え、Ｆ封止部２８及びＲ封止部２９で封止されている。石英バルブ１ａ内は、水銀１４と希ガス（例えば、アルゴン）を封入した略球状の発光部１１を中央部に有する。
【００２２】
Ｆ電極１２、Ｆモリブデン箔１５、Ｆリード線１７を組み合わせたものをＦ電極システム２６と呼ぶ。
【００２３】
Ｒ電極１３、Ｒモリブデン箔１６、Ｒリード線１８を組み合わせたものをＲ電極システム２７と呼ぶ。
【００２４】
Ｆモリブデン箔１５は、Ｆ封止部２８に埋設される。また、Ｒモリブデン箔１６は、Ｒ封止部２９に埋設される。
【００２５】
Ｆモリブデン箔１５の一端にＦ電極１２が接続され、Ｆモリブデン箔１５の他端にＦリード線１７が接続される。Ｆリード線１７は、Ｆ封止部２８から外部に引き出される。
【００２６】
Ｒモリブデン箔１６の一端にＲ電極１３が接続され、Ｒモリブデン箔１６の他端にＲリード線１８が接続される。Ｒリード線１８は、Ｒ封止部２９から外部に引き出される。
【００２７】
楕円反射鏡３は、回転楕円体形状の一部分の形をしている。楕円反射鏡３の材質は、石英ガラスである。
【００２８】
発光管１は、Ｆ電極１２が楕円反射鏡３の開口部３ａ側に、Ｒ電極１３がネック部３ｂ側になるよう配置させる。
【００２９】
発光管１の中心軸を、楕円反射鏡３の開口部３ａとネック部３ｂを結ぶ中心軸に一致させ、発光部１１の中心を楕円反射鏡３の焦点よりネック部３ｂ側にシフトさせて発光管１を楕円反射鏡３に組み込んだ構造とする。
【００３０】
セラミックリング２の材質は、ステアタイト系セラミックスである。ステアタイト系セラミックスは、高純度タルク（滑石）主原料を高温焼成し、製品化したものである。ステアタイトは、成形加工、寸法精度、高温での絶縁性や耐熱特性にも優れている。
【００３１】
セラミックリング２は、楕円反射鏡３に固定される側の端部に、楕円反射鏡３のネック部３ｂを覆うように嵌合する嵌合部２２を備える。
【００３２】
また、セラミックリング２は、楕円反射鏡３に固定される側の端部に、楕円反射鏡３のネック部３ｂの軸方向端部が当接する当接部２１を備える。当接部２１は、発光管１の中心線方向に対して略直角である。
【００３３】
さらに、セラミックリング２は、楕円反射鏡３に固定される側の端部に、嵌合部２２を切り欠いた切り欠き部２３を備える（図１参照）。切り欠き部２３は、通風口として機能する。反射鏡付放電ランプ１００において、楕円反射鏡３にセラミックリング２を固定した状態では、切り欠き部２３が開口している。発光管１が何らかの原因により破裂した場合、ガラスの破片がこの切り欠き部２３から飛び散る恐れがあるので、図１に示すように、切り欠き部２３にメッシュ７を設けている。
【００３４】
セラミックリング２は、セメント４ａにより楕円反射鏡３に固定される。セメント４ａの主成分は、シリカである。
【００３５】
発光管１は、Ｆモリブデン箔１５のＦ封止部２８付近に発光部１１とは別の空間部２５を備える。この空間部２５は、中央にＦモリブデン箔１５が通り、水銀１４と希ガスを含む数ミリサイズの空洞である。空間部２５は、ＵＶ−Ｅｎｈａｎｃｅｒ、バブル（ｂｕｂｌｅ）とも呼ばれる。
【００３６】
空間部２５及びトリガーワイヤ９は、発光管１の発光部１１における始動電圧を低下させるために設けられる。
【００３７】
空間部２５及びトリガーワイヤ９により、発光管１の発光部１１における始動電圧が低下する現象について触れる（図３を参照）。
【００３８】
トリガーワイヤ９は、Ｒリード線１８に接続する。従って、トリガーワイヤ９とＦモリブデン箔１５とは異極である。トリガーワイヤ９とＦモリブデン箔１５との間で電場が形成され、初めの始動が空間部２５で起こる。このとき、Ｆモリブデン箔１５の鋭い端部により、比較的低い電圧で、空間部２５に電子が生成され放電が起こる。Ｆモリブデン箔１５とトリガーワイヤ９との間の容量放電がＵＶ（紫外線）を生成し、ＵＶが空間部２５と発光部１１との間の石英バルブ１ａに沿って発光部１１まで到達する。発光部１１では、ＵＶ光子が光電子放出によって電子を生成し、発光部１１の一次の放電が誘起される。この一次の放電の後では、数百ボルトがグロー放電に必要なだけである。１秒未満でアークが形成された後では、１００ボルト以下である。完全な暗闇で数日間保管後であっても、５ｋｖよりかなり低い電圧で安定的に発光管１は点灯する。
【００３９】
このように、空間部２５によりランプ始動を補助するＵＶ放射がなされ、石英ガラスの導光効果によりＵＶを発光部１１へ導き、発光部１１で自由電荷キャリアを生成する。自由電荷キャリアにより比較的低電圧（２．５〜５ｋｖ）での発光管１の始動が可能となる。
【００４０】
ここで、発光管１の製造方法について簡単に説明する。
（１）石英ガラス管を用いて、中央部に略球状の発光部１１となる空間部を有する中空の石英バルブ１ａを製作する；
（２）石英バルブ１ａにＲ電極システム２７を挿入する；
（３）石英バルブ１ａのＲ電極システム２７側端部を仮封止する；
（４）石英バルブ１ａ内の真空引きを行う；
（５）石英バルブ１ａ内に希ガス（アルゴン）を導入する；
（６）石英バルブ１ａのＦ電極システム２６側端部を仮封止する；
（７）Ｒモリブデン箔１６付近の石英バルブ１ａを加熱して溶融し、封止する；
（８）石英バルブ１ａのＦ電極システム２６側端部を仮封止を開放する；
（９）石英バルブ１ａ内にＦ電極システム２６、水銀１４を入れる；
（１０）石英バルブ１ａを装置につなぎ、真空引きを行う；
（１１）希ガス（アルゴン）を導入する；
（１２）石英バルブ１ａのＦ電極システム２６側端部を仮封止する；
（１３）別の装置で、Ｆモリブデン箔１５付近の石英バルブ１ａを加熱して溶融し、封止する；
（１４）Ｆモリブデン箔１５の封止の途中で、石英バルブ１ａの加熱を所定距離先に飛ばす；
（１５）加熱されない石英バルブ１ａの部分に空間部２５が形成される；
（１６）石英バルブ１ａを別の装置から外して発光管１が完成する。
【００４１】
空間部２５は、上記のような工程で形成されるので、内部には希ガス、水銀が存在する。
【００４２】
図４は実施の形態１を示す図で、発光管１の平面図である。実施の形態１は、発光管１の構成に特徴がある。その他の反射鏡付放電ランプ１００の構成は、一般的な反射鏡付放電ランプ１００と同様である。
【００４３】
反射鏡付放電ランプ１００の各部の名称を次のように定義する。
Ｆ電極１２          →  電極の一例
Ｒ電極１３          →  電極の一例
Ｆモリブデン箔１５  →  金属箔の一例
Ｒモリブデン箔１６  →  金属箔の一例
Ｆリード線１７      →  リード線の一例
Ｒリード線１８      →  リード線の一例
Ｆ封止部２８        →  封止部の一例
Ｒ封止部２９        →  封止部の一例
【００４４】
図４に示すように、トリガーワイヤ９がＦ封止部２８に埋設されるＦモリブデン箔１５の全体を覆うように設けられる。トリガーワイヤ９の材質は、一例では、Ｃｒ−Ｆｅ−Ａｌ合金である。トリガーワイヤ９の線径は、０．４ｍｍである。
【００４５】
通常は、０．４ｍｍのトリガーワイヤ９を９ターン（コイルの長さ略１０ｍｍ）巻くが、本実施の形態では、トリガーワイヤ９がＦモリブデン箔１５の全体を覆うように設けられる。従って、トリガーワイヤ９の巻数は、Ｆモリブデン箔１５の長さで変わる。
【００４６】
Ｆモリブデン箔１５の長さは、１５〜２０ｍｍである。例えば、Ｆモリブデン箔１５の長さが２０ｍｍの場合、トリガーワイヤ９は通常の２倍の１８ターン以上巻くことになる。トリガーワイヤ９は、Ｒリード線１８（リード線の一例）と接続される。
【００４７】
図４では、トリガーワイヤ９がＦモリブデン箔１５の全体を覆うため、Ｆモリブデン箔１５及び空間部２５は見えていない。空間部２５によりランプ始動を補助するＵＶ放射がなされ、石英ガラスの導光効果によりＵＶを発光部１１へ導き、発光部１１で自由電荷キャリアを生成し、自由電荷キャリアにより比較的低電圧（２．５〜５ｋｖ）での発光管１の始動が可能となる点は一般的な反射鏡付放電ランプ１００と同じである。
【００４８】
本実施の形態では、加えてトリガーワイヤ９がＦモリブデン箔１５の全体を覆うように設けられるので、Ｆモリブデン箔１５の温度を下げることができる。
【００４９】
本実施の形態では、図４に示すように、Ｒモリブデン箔１６（金属箔の一例）にもワイヤ３０を巻く。図４の例は、トリガーワイヤ９と、形状・材質が同じものをワイヤ３０に用いている。
【００５０】
ワイヤ３０も、Ｒモリブデン箔１６の全体を覆うように巻かれる。
【００５１】
ワイヤ３０は、電気的には浮いていてどこにも接続されない。その目的とするところは、Ｒモリブデン箔１６の温度を下げることにある。
【００５２】
以上のように、本実施の形態は、トリガーワイヤ９がＦモリブデン箔１５の全体を覆うように設けられ、且つＲモリブデン箔１６の全体を覆うようにワイヤ３０を巻くことにより、Ｆモリブデン箔１５及びＲモリブデン箔１６の温度を下げることができる。それにより長寿命な反射鏡付放電ランプ１００を提供することができる。
【００５３】
実施の形態２．
図５は実施の形態２を示す図で、発光管１の平面図である。
【００５４】
実施の形態２も、発光管１の構成に特徴がある。その他の反射鏡付放電ランプ１００の構成は、一般的な反射鏡付放電ランプ１００と同様である。
【００５５】
図５に示すように、トリガーワイヤ９をＦ封止部２８に埋設されるＦモリブデン箔１５のＦ電極１２側の略半分を覆うように巻く。このとき、トリガーワイヤ９は空間部２５の全部を覆うことが必須である。
【００５６】
また、ワイヤ３０についても、Ｒ封止部２９に埋設されるＲモリブデン箔１６のＲ電極１３側の略半分を覆うように巻く。
【００５７】
発光管１の温度は、発光部１１が約２０００℃に達し一番高い。発光部１１の石英バルブ１ａの表面の温度は略９５０℃である。発光管１の端に向かって徐々に温度が下がり、Ｆモリブデン箔１５及びＲモリブデン箔１６における電極側の端部の温度は約６５０℃、また、Ｆモリブデン箔１５及びＲモリブデン箔１６における反電極側の端部の温度は、約３００℃である。
【００５８】
従って、Ｆモリブデン箔１５及びＲモリブデン箔１６の温度は、電極側が反電極側よりも高い。
【００５９】
よって、トリガーワイヤ９をＦ封止部２８に埋設されるＦモリブデン箔１５のＦ電極１２側の略半分を覆うように巻き、またワイヤ３０についても、Ｒ封止部２９に埋設されるＲモリブデン箔１６のＲ電極１３側の略半分を覆うように巻くことにより、効果的にＦモリブデン箔１５及びＲモリブデン箔１６の温度を下げることができる。
【００６０】
以上のように、本実施の形態によれば、トリガーワイヤ９が空間部２５を覆いつつ、トリガーワイヤ９をＦ封止部２８に埋設されるＦモリブデン箔１５のＦ電極１２側の略半分を覆うように巻き、またワイヤ３０についても、Ｒ封止部２９に埋設されるＲモリブデン箔１６のＲ電極１３側の略半分を覆うように巻くことにより、Ｆモリブデン箔１５及びＲモリブデン箔１６の温度の高い部分を効果的に冷却することができる。それにより長寿命な反射鏡付放電ランプ１００を提供することができる。
【００６１】
実施の形態３．
図６は実施の形態３を示す図で、発光管１の平面図である。
【００６２】
実施の形態３も、発光管１の構成に特徴がある。その他の反射鏡付放電ランプ１００の構成は、一般的な反射鏡付放電ランプ１００と同様である。
【００６３】
図６に示すように、トリガーワイヤ９がＦ封止部２８に埋設されるＦモリブデン箔１５の全体を覆うように設けられる。トリガーワイヤ９の材質、線径、ターン数、長さ等は、実施の形態１と同じである。
【００６４】
実施の形態１（図４）で示したワイヤ３０は、本実施の形態では使用しない。
【００６５】
本実施の形態のように、トリガーワイヤ９だけを一般的な反射鏡付放電ランプ１００の場合よりもターン数、長さを増やしてＦモリブデン箔１５の全体を覆うようにしても、Ｆモリブデン箔１５を冷却することができるので、長寿命な反射鏡付放電ランプ１００を提供することができる。
【００６６】
実施の形態４．
図７は実施の形態４を示す図で、発光管１の平面図である。
【００６７】
実施の形態４も、発光管１の構成に特徴がある。その他の反射鏡付放電ランプ１００の構成は、一般的な反射鏡付放電ランプ１００と同様である。
【００６８】
図７に示すように、トリガーワイヤ９をＦ封止部２８に埋設されるＦモリブデン箔１５のＦ電極１２側の略半分を覆うように巻く。このとき、トリガーワイヤ９は空間部２５の全部を覆うことが必須である。
【００６９】
実施の形態２（図５）で示したワイヤ３０は、本実施の形態では使用しない。
【００７０】
Ｆモリブデン箔１５の温度は、電極側が反電極側よりも高い。よって、トリガーワイヤ９をＦ封止部２８に埋設されるＦモリブデン箔１５のＦ電極１２側の略半分を覆うように巻くことにより、効果的にＦモリブデン箔１５の温度を下げることができる。それにより、長寿命な反射鏡付放電ランプ１００を提供することができる。
【００７１】
実施の形態５．
図８は実施の形態５を示す図で、発光管１の平面図である。
【００７２】
実施の形態５も、発光管１の構成に特徴がある。その他の反射鏡付放電ランプ１００の構成は、一般的な反射鏡付放電ランプ１００と同様である。
【００７３】
図８に示すように、トリガーワイヤ９をＦ封止部２８に埋設されるＦモリブデン箔１５の全体を覆うように巻く。
【００７４】
また、本実施の形態では、図８に示すように、ワイヤ３０をＲモリブデン箔１６のＲ電極１３側の略半分を覆うように巻く。
【００７５】
トリガーワイヤ９をＦ封止部２８に埋設されるＦモリブデン箔１５のＦ電極１２側の全体を覆うように巻き、またワイヤ３０をＲ封止部２９に埋設されるＲモリブデン箔１６のＲ電極１３側の略半分を覆うように巻くことにより、効果的にＦモリブデン箔１５及びＲモリブデン箔１６の温度を下げることができる。それにより、長寿命な反射鏡付放電ランプ１００を提供することができる。
【００７６】
実施の形態６．
図９は実施の形態６を示す図で、発光管１の平面図である。
【００７７】
実施の形態６も、発光管１の構成に特徴がある。その他の反射鏡付放電ランプ１００の構成は、一般的な反射鏡付放電ランプ１００と同様である。
【００７８】
図９示すように、トリガーワイヤ９をＦ封止部２８に埋設されるＦモリブデン箔１５のＦ電極１２側の略半分を覆うように巻く。このとき、トリガーワイヤ９は空間部２５の全部を覆うことが必須である。
【００７９】
また、本実施の形態では、図９に示すように、Ｒ封止部２９に埋設されるＲモリブデン箔１６にもワイヤ３０を巻く。ワイヤ３０は、Ｒモリブデン箔１６の全体を覆うように巻かれる。
【００８０】
トリガーワイヤ９をＦ封止部２８に埋設されるＦモリブデン箔１５のＦ電極１２側の略半分を覆うように巻き、またワイヤ３０をＲ封止部２９に埋設されるＲモリブデン箔１６の全体を覆うように巻くことにより、効果的にＦモリブデン箔１５及びＲモリブデン箔１６の温度を下げることができる。それにより、長寿命な反射鏡付放電ランプ１００を提供することができる。
【００８１】
実施の形態７．
図示はしないが、トリガーワイヤ９を一般的な反射鏡付放電ランプ１００と同じ構成にする。トリガーワイヤ９をＦ封止部２８に埋設されるＦモリブデン箔１５の外周面に、例えば、０．４ｍｍのトリガーワイヤ９を９ターン（コイルの長さ略１０ｍｍ）巻く。トリガーワイヤ９は空間部２５を覆う。
【００８２】
または、実施の形態１又は実施の形態２のトリガーワイヤ９をＦ封止部２８に埋設されるＦモリブデン箔１５の外周面に巻く。
【００８３】
そして、任意の線径、ターン数、長さのワイヤ３０を、Ｒ封止部２９に埋設されるＲモリブデン箔１６の外周面に巻く。任意の線径、ターン数、長さのワイヤ３０を、所定の形状のワイヤと呼ぶ。
【００８４】
上記のような構成でも、少なくともＲモリブデン箔１６の温度を下げることができる。それにより、長寿命な反射鏡付放電ランプ１００を提供することができる。
【図面の簡単な説明】
【００８５】
【図１】比較のために示す一般的な反射鏡付放電ランプ１００を示す図で、反射鏡付放電ランプ１００の構成図。
【図２】比較のために示す一般的な反射鏡付放電ランプ１００を示す図で、一部を破断して断面で示す反射鏡付放電ランプ１００の構成図。
【図３】比較のために示す一般的な反射鏡付放電ランプ１００を示す図で、低電圧での始動を可能とするメカニズムを説明する図。
【図４】実施の形態１を示す図で、発光管１の平面図。
【図５】実施の形態２を示す図で、発光管１の平面図。
【図６】実施の形態３を示す図で、発光管１の平面図。
【図７】実施の形態４を示す図で、発光管１の平面図。
【図８】実施の形態５を示す図で、発光管１の平面図。
【図９】実施の形態６を示す図で、発光管１の平面図。
【符号の説明】
【００８６】
１  発光管、１ａ  石英バルブ、２  セラミックリング、３  楕円反射鏡、３ａ  開口部、３ｂ  ネック部、４ａ  セメント、４ｂ  セメント、４ｃ  セメント、５  キャップ、６  第１の端子、７  メッシュ、９  トリガーワイヤ、１１  発光部、１２  Ｆ電極、１３  Ｒ電極、１４  水銀、１５  Ｆモリブデン箔、１６  Ｒモリブデン箔、１７  Ｆリード線、１８  Ｒリード線、２１  当接部、２２  嵌合部、２３  切り欠き部、２５  空間部、２６  Ｆ電極システム、２７  Ｒ電極システム、２８  Ｆ封止部、２９  Ｒ封止部、３０  ワイヤ、１００  反射鏡付放電ランプ。
【図１】
2009289567.tif 000003
【図２】
2009289567.tif 000004
【図３】
2009289567.tif 000005
【図４】
2009289567.tif 000006
【図５】
2009289567.tif 000007
【図６】
2009289567.tif 000008
【図７】
2009289567.tif 000009
【図８】
2009289567.tif 000010
【図９】
2009289567.tif 000011